(57)【要約】【課題】メダル投入孔に対しセレクタ部に設けられるメダル投入シュートが位置調整可能に設けて、メダル投入孔とセレクタ部とのメダル通路のズレを防止する。【解決手段】遊技機１０は、筐体１１に開閉板２９が開閉自在に設けられる。前記開閉板２９には、メダル投入孔２９Ｄａが設けられる。前記筐体１１には、前記メダル投入孔２９Ｄａに対向して肘掛け部２６の近傍にセレクタ部４６Ａが装着される。前記セレクタ部４６Ａにはメダル投入孔２９Ｄａに対向してメダル投入シュート４８を位置調整可能に設けられる。メダル投入孔２９Ｄａより投入されたメダルがメダル投入シュート４８に落下した際、前記メダルの軌道に合わせて前記メダル投入シュート４８が変位してメダル投入孔２９Ｄａとメダル投入シュート４８とのメダル通路のズレが自動的に補正される。【選択図】  図３
2004358145.tif 000002
【特許請求の範囲】
【請求項１】
複数の絵柄を回転表示させる表示手段と、前記複数の絵柄の回転を開始させる起動スイッチおよび該絵柄の回転を各々停止させる停止スイッチを有する操作手段とを本体の前面に備えた遊技機であって、
前記本体に開閉可能に設けられた開閉部材に形成された遊技媒体投入孔と、前記遊技媒体投入孔に対向して前記本体に取り付けられたシュート部材とを備え、
前記遊技媒体投入孔に対し前記シュート部材を可動自在に設けたことを特徴とする遊技機。
【請求項２】
請求項１記載の遊技機において、
前記シュート部材は、取付部に形成した開口部に緩挿されたスペーサ部材により支持されることを特徴とする遊技機。
【請求項３】
請求項２記載の遊技機において、
前記スペーサ部材は、横断面略円筒形状であることを特徴とする遊技機。
【発明の詳細な説明】
【０００１】
【発明の属する技術分野】
本発明は、メダルを投入してゲームを行なうゲーム装置に関し、さらに詳細にはテーブル型スロットマシンにメダルを投入するメダル投入シュートの位置決めに関するものである。
【０００２】
【従来の技術】
従来、テーブル型スロットマシンと称する回胴式遊技機は、例えば、メダル投入孔よりメダルが投入されると遊技可能状態となり、所定のボタンスイッチ、ジョイスティック等が操作されると外周面に各種絵柄が設けられたリールが回転する。そして、所定のボタンスイッチを操作するとリールが停止し、絵柄の並び状態により適宜メダルが払い出される。
【０００３】
この種の回胴式遊技機は、筐体を構成する本体部の開口部に開閉自在に枢支された開閉蓋体にメダル投入孔が設けられ、前記本体部にセレクタ部が設けられている。この場合、開閉蓋体が本体部の開口部を閉塞してこれらが互いに接合した際に、前記メダル投入孔とセレクタ部とが互いに近接してメダルの通路が形成される（例えば、特許文献１参照）。
【特許文献１  特開２００２−３４６０３０号公報】
【０００４】
【発明が解決しようとする課題】
しかしながら、特許文献１に記載される回胴式遊技機は、メダル投入孔とセレクタ部とはそれぞれ開閉蓋体と本体部に取り付けられているため、前記開閉蓋体により本体部の開口部を閉塞した際、前記メダル投入孔とセレクタ部との芯出し作業が困難でメダル通路の調整を容易に行なうことができない。
また、金属製の開閉蓋体と木製の本体部とがヒンジ、蝶番などを介してねじ部材により結合されている。このため、開閉蓋体と本体部と結合の緩みによりメダル投入孔とセレクタ部とのメダル通路がずれてメダル投入孔より投入されたメダルが例えば、セレクタ部内で詰まるという不具合があった。
【０００５】
本発明は、上記の不具合を解決するためになされたもので、開閉蓋体に取り付けられたメダル投入孔に対しメダル投入シュートをセレクタ部に可動自在に設けることにより、前記メダル投入孔と前記セレクタ部とのメダル通路のズレが自動的に補正され、該メダルの詰まりを防止する遊技機を提供することを目的とする。
【０００６】
【課題を解決するための手段】
前記課題を解決するため、本発明は、複数の絵柄を回転表示させる表示手段と、前記複数の絵柄の回転を開始させる起動スイッチおよび該絵柄の回転を各々停止させる停止スイッチを有する操作手段とを本体の前面に備えた遊技機であって、
前記本体に開閉可能に設けられた開閉部材に形成された遊技媒体投入孔と、前記遊技媒体投入孔に対向して前記本体に取り付けられたシュート部材とを備え、
前記遊技媒体投入孔に対し前記シュート部材を可動自在に設けたことを特徴とする。
【０００７】
本発明によれば、遊技媒体投入孔に対しシュート部材がセレクタ部に可動自在に設けられるので、開閉部材の位置が変位しても前記シュート部材を介して前記遊技媒体投入孔と該シュート部材とのメダル通路を整合させることができる。
この場合、前記シュート部材は、取付部に形成した開口部に緩挿されたスペーサ部材により支持されるので、円周方向に容易に回動させることができるのでよい。
さらに、前記スペーサ部材は、横断面略円筒形状であると、前記シュート部材を円滑に回動させることができるのでよい。
【０００８】
【発明の実施の形態】本発明に係る遊技機について好適な実施の形態を挙げ、添付図面を参照しながら以下詳細に説明する。
【０００９】
図１により、本発明に係る遊技機１０の構成について説明する。図１に示されるように遊技機１０は、床面に設置されたテーブル型スロットマシンを示し、基本的には筐体（本体）１１と、演出ユニット１２と、操作手段１３と、電源ユニット１４と、遊技状況検出ユニット１５と、回胴ユニット（表示手段）１６および遊技媒体搬入出ユニット１７とを備える。
【００１０】
筐体１１は、例えば、一対の側板部２０と、前記側板部２０の上端部に取着された天板部２１と、前記側板部２０の下端部に取着された底板部２２と、前記側板部２０と、天板部２１と、前記底板部２２の一端側を遮蔽する背面板部２３とを備える。
さらに、図２に示されるように前記筐体１１は、枠体としての正面上板部２４と、仕切板である上部仕切板２５と、肘掛け部２６と、ユニット載置部２７と、正面蓋板部２８と、開閉板２９とを備え、テーブル型の枠体に構成されている。
【００１１】
前記正面上板部２４は、側板部２０の表示側面部２０Ｃの正面側縁における上端および下端の位置で架橋する状態に一対設けられている。さらに、側板部２０および正面上板部２４には、略矩形状の表示窓２４Ａ（図２参照）が形成される。
また、前記正面上板部２４の内面側には、演出ユニット１２を構成する遊技機用表示パネル３０を着脱自在に取り付ける取付枠部３１が設けられている。
【００１２】
そして、前記取付枠部３１には、スピーカ、ブザー等の発音手段３２および図示しないランプ、発光ダイオード等の光源あるいは該光源を保持するランプホルダ（図示しない）が取り付けられている。
【００１３】
なお、遊技機用表示パネル３０には、少なくとも一部が投光可能に遊技機１０の遊技内容の関連する絵柄（図示しない）が形成され、該遊技機用表示パネル３０は、背面板部２３に配設された照明装置（図示しない）により絵柄が表示される。この場合、遊技機用表示パネル３０と、背面板部２３に配設された照明装置、取付板部３１に配設された副表示装置（図示しない）、発音手段３２、光源（図示しない）により、前記演出ユニット１２が構成される。
【００１４】
前記肘掛け部２６は、軸長方向に側板部２０の肘掛け側面部２０Ｂの周縁に沿うように略筒状に形成され、肘掛け可能となっている。この肘掛け部２６の外周面には、側板部２０の肘掛け側面部２０Ｂの先端側に対応する位置にクッション部材（図示しない）が取り付けられる。さらに、前記肘掛け部２６の上面部分には、遊技の際に利用される複数の操作ボタンスイッチ、例えば、起動スイッチ３４Ａ、停止スイッチ３４Ｂを備える操作手段１３が配設される。
【００１５】
図２に示されるように、筐体１１に設けられたユニット載置部２７には、ユニット載置面部２７Ａと、基板載置板部２７Ｂと、ユニット押え板部２７Ｃとを備える。
【００１６】
図１に示されるように、前記ユニット載置部２７には、作業開口部１１Ａ１を介して基板載置板部２７Ｂが視認可能に筐体１１内に配設されている。さらに、図２に示すように、ユニット載置部２７により筐体１１内には、該ユニット載置部２７の上方に作業開口部１１Ａ１に連通するユニット室１１Ａが画成されるとともに、ユニット載置部２７の下方に上方が作業開口部１１Ａ１に連通するメダル貯留室１１Ｂが区画されている。そして、ユニット室１１Ａには、電源ユニット１４、遊技状況検出ユニット１５および回胴ユニット１６が収納され、メダル貯留室１１Ｂには、遊技媒体搬出入ユニット１７が収納される。
【００１７】
正面蓋板部２８は、側板部２０の肘掛け側面部２０Ｂの下方に位置し、側板本体部２０Ａの幅寸法と略同じで略長方形状の板状に形成されている。
【００１８】
開閉板（開閉部材）２９は、正面上板部２４の下縁と肘掛け部２６との間に開口する作業開口部１１Ａ１に開閉自在に設けられ、図示しない施錠装置により筐体１１に開閉可能に閉塞される。
【００１９】
開閉本体２９Ａは、例えば、鋼板にて形成され、正面上板部２４側に沿って幅広となる略等脚台形状に開口する四角形状の主表示窓（図示しない）が形成されている。この開閉本体２９Ａは、正面上板部２４の下縁に一端が上下方向に図示しないヒンジ部材、蝶番により回動可能に軸支されている。
さらに、開閉本体２９Ａは、ユニット載置部２７に下端が取り付けられた油圧、空圧のシリンダ機構２９Ｃに連結され、前記シリンダ機構２９Ｃにより回動可能に保持される。
また、開閉本体２９Ａの上面には、メダルＸ（図４参照）が投入されるメダル投入孔（遊技媒体投入孔）２９Ｄａを開口するメダル投入ガイド部材２９Ｄが設けられている。
【００２０】
枠体２９Ｂは、例えば、鋼板により開閉本体２９Ａの主表示窓（図示しない）に対応して略等脚台形状に形成されている。この枠体２９Ｂは、図示しないねじ部材により開閉本体２９Ａに取着される。なお、枠体２９Ｂには、開閉本体２９Ａの主表示窓（図示しない）を遮蔽するように表示パネル（図示しない）が取着される。そして、枠体２９Ｂは、開閉本体２９Ａの主表示窓を遮蔽するように一端部が蝶番（図示しない）により回動可能に軸支されている。なお、枠体２９Ｂには、回路基板２９Ｅが設けられる。前記回路基板２９Ｅは、表示装置（図示しない）に各種遊技状況を表示させる機能を備える。
【００２１】
ユニット室１１Ａ内に収納される電源ユニット１４は、ユニット載置部２７に配設されている。前記電源ユニット１４は、演出ユニット１２、遊技状況検出ユニット１５、回胴ユニット１６、遊技媒体搬出入ユニット１７に電力を供給して動作させる。
【００２２】
さらに、遊技状況検出ユニット１５は、メダル判別手段４６を構成するセレクタ部４６Ａ、回胴ユニット１６の主制御基板３７から遊技用のメダルを取得した旨の信号を認識する。
また、遊技状況検出ユニット１５は、遊戯媒体搬出入ユニット１７のメダル搬送手段４２を構成する計数手段４２Ｄ、主制御基板３７および遊技搬出入ユニット１７から払い出されたメダルの枚数に関する信号を取得する。そして、前記遊技状況検出ユニット１５は、取得した信号に基づいてその遊技機１０により回収したメダルの総枚数などを判断して該遊技機１０の状況を判断する。
【００２３】
回胴ユニット１６は、ユニット室１１Ａ内に着脱可能に設けられている。前記回胴ユニット１６は、ユニットケース３８と、リールユニット３９と、前記主制御基板３７と、副制御基板４０とを備える。
【００２４】
前記ユニットケース３８は、ユニット室１１Ａ内の電源ユニット１４に隣接する状態でユニット載置面部２７Ａおよびユニット押え板部２７Ｃに図示しないねじ部材により着脱可能に取り付けられる。
【００２５】
リールユニット３９は、リールボックス３９Ａと、３つの回胴式変動装置としてのリール部材３９Ｂと、４つのシールド部材３９Ｃとを備える。
【００２６】
リール部材３９Ｂには、駆動手段としてのモータ（図示しない）と、リール本体３９Ｄと、回転位置検出手段と、投光手段（いずれも図示しない）とを備えている。
【００２７】
前記主制御基板３７は、複数の電気部品が取着された回路基板で、ユニットケース３８に収納されて封止される。この主制御基板３７は、電源ユニット１４からの電力が供給され、遊技に関する動作を制御する。具体的には、操作手段１３の操作に基づいて適宜、メダルの払出処理や遊技状況に対応して副制御基板４０に各種信号を出力して発音、表示、光源の点灯、点滅等の演出処理を制御する。
【００２８】
前記副制御基板４０は、複数の電気部品が搭載された回路基板で、主制御基板３７により制御されて演出ユニット１２に適宜動作、例えば、点灯、点滅あるいは表示、発音等により、遊技状況を告知させる制御する。
【００２９】
図２に示されるように、メダル貯留室１１Ｂに収納される遊技媒体搬出入ユニット１７は、背面板部２３に取り付けられたシュート部４１、メダル搬送手段４２、メダルタンク４３、補給ホッパ４４、余剰メダル収容タンク４５と、メダル判別手段４６とを備える。
【００３０】
メダル搬送手段４２は、貯留ホッパ４２Ａと、排出装置４２Ｂと、ガイド部４２Ｃと、前記計数手段４２Ｄとを備える。
【００３１】
余剰メダル収容タンク４５は、メダルタンク４３の排出シュート部４３Ａおよび貯留分排出口４３Ｂの下方に配置され、上方で前記排出シュート部４３Ａおよび貯留分排出口４３Ｂから排出されるメダルを確実に収容することができる。
【００３２】
メダル判別手段４６は、セレクタ部４６Ａと、搬送ガイド部４６Ｂとを備える。
セレクタ部４６Ａは、閉塞板２９の開閉本体２９Ａに設けられたメダル投入ガイド部材２９Ｄの下方に位置し、かつメダル受皿４７の背面側に位置して肘掛け部２６の背面側に取り付けられている。このセレクタ部４６Ａは、メダル投入ガイド部材２９Ｄのメダル投入孔２９Ｄａから投入されるメダルを収得し、遊技用メダルか否が判別される。
そして、セレクタ部４６Ａは、遊技用メダルを取得した場合、下方に排出するとともにメダルを収得した旨の信号を主制御基板３７あるいは遊技状況検出ユニット１５に出力する。
【００３３】
また、セレクタ部４６Ａは、遊技用メダル以外の通貨などの異物を収得した場合に、前記異物が該案内シュート（図示しない）を介して返却口４７Ｂよりメダル受皿４７に排出される。なお、入賞により得られたメタルＸは、ガイド部４２Ｃから排出口４７Ａを介してメダル受皿４７に排出される。
【００３４】
図３に示されるように、メダル投入シュート（シュート部材）４８はセレクタ部４６Ａの上部にねじ部材４９により取り付けられる。
メダル投入シュート４８は、上方が末広がりに開口し、下方に１枚の遊技用メダルを通過可能にする導通路４８Ａを形成し、下部にセレクタ部４６Ａに取り付けられる取付部４８Ｂが設けられる。前記取付部４８Ｂには、後述するスペーサ（スペーサ部材）５０の外径よりも口径が大である長円の孔４８Ｃ（図４参照）が設けられる。
図４示されるように、孔４８Ｃは横断面略円筒形のスペーサ（スペーサ部材）５０を遊挿し、前記スペーサ５０が座金５１を介してねじ部材４９によりセレクタ部４６Ａに取り付けられる。この場合、前記スペーサ５０の外径は、長円の孔４８Ｃの幅よりも大にするとメダル投入シュート４８がスペーサ５０から離脱するのを阻止することができる。
よって、メダル投入シュート４８は、セレクタ部４６Ａに対し取付位置が適宜自在に調整される。
なお、スペーサ５０と座金５１とは分離されているが、前記スペーサ５０と座金５１とを一体にしてねじ部材４９を挿通しても勿論よい。さらに、ねじ部材４９と座金５１とを一体にしても勿論よい。
【００３５】
本発明の実施の形態に係る遊技機１０は、基本的には以上のように構成されるものであり、次にその動作ならびに作用効果について説明する。
図示しない遊技媒体貸出装置より貸出しされたメダルＸ（図３を参照）を遊技機１０のメダル投入孔２９Ｄａに投入する。投入されたメダルＸは、メダル投入シュート４８よりセレクタ部４６Ａに送給され、遊技用のメダルＸか否か判断する。セレクタ部４６Ａが遊技用のメダルＸ以外の異物と認識した場合には、返却口４７Ｂよりメダル受皿４７に返却される。
一方、セレクタ部４６Ａは、遊技用のメダルであると判断すると、搬送ガイド部４６ＢへメダルＸを排出し、メダルＸを取得した旨の信号を発する。
【００３６】
なお、搬送ガイド部４６Ｂへ搬出されたメダルＸは、前記搬送ガイド部４６Ｂを介してメダルタンク４３内に投入され、前記メダルタンク４３からメダル搬送手段４２の貯留ホッパ４２Ａに落下させて貯留、あるいは前記貯留ホッパ４２Ａが満杯である場合にはメダルタンク４３に貯留される。さらに、メダルタンク４３が満杯である場合には、メダルタンク４３へ投入されたメダルＸは排出シュート部４３Ａを落下して貯留分排出口４３Ｂより余剰メダル収容タンク４５内に投入されて貯留される。
【００３７】
そして、セレクタ部４６ＡからメダルＸを取得した旨の信号が出力されたことを主制御基板３７が認識すると、回路基板２９Ｅに所定の信号が出力され、前記回路基板２９Ｅの所定の表示装置（図示しない）が投入されたメダルＸに対応する枚数を加算表示する。さらに、主制御基板３７は、リール本体３９Ｄを回転させるための起動スイッチ３４Ａを操作可能にする。例えば、操作手段１３である起動スイッチ３４Ａに組み込まれた光源を点灯させて、操作可能である旨を告知する。
【００３８】
この操作手段１３におけるリール本体３９Ｄを回転させるための起動スイッチ３４Ａが遊技者により操作されると、その操作に対応した信号が主制御基板３７から操作手段１３に取得され、リール本体３９Ｄの回転を制御する。すなわち、リール本体３９Ｄを構成するモータ（図示しない）を駆動させ、各リール本体３９Ｄを所定の速度で回転させる。この後、主制御基板３７は、リール本体３９Ｄの回転を停止させる旨の停止スイッチ３４Ｂを操作可能とする。
遊技者が開閉板２９に配設したリール表示窓（図示しない）を介してリール本体３９Ｄが回転したことを認識して停止スイッチ３４Ｂを適宜操作する。この操作に対応した信号を主制御基板３７が操作手段１３から取得すると、プログラムに基づいて適宜、モータ（図示しない）を停止させリール本体３９Ｄの回転を停止させる。
【００３９】
リール本体３９Ｄの回転により、リール部材３９Ｂの回転位置検出手段（図示しない）がリール本体３９Ｄの停止状況を判断し、主制御基板３７の停止信号を出力する。この停止信号を主制御基板３７が感知し、リール表示窓（図示しない）を介してリール本体３９Ｄの絵柄の組み合わせを判断する。そして、絵柄が所定の組み合わせで表示される状態にリール本体３９Ｄが停止したことを主制御基板３７が判断すると、所定枚数のメダルＸを払い出す制御をする。すなわち、遊技媒体搬入出ユニット１７の排出装置４２Ｂを制御し、所定枚数のメダルＸを前記排出装置４２Ｂからガイド部４２Ｃを介して計数手段４２Ｄに排出され、計数される。
メダルＸは、計数手段４２Ｄにより所定の枚数を計数するまで排出装置４２Ｂから排出され、ガイド部４２Ｃからメダル排出口４７Ａを介してメダル受皿４７へ排出されて払い出され、１回の遊技が終了する。
【００４０】
このように動作する遊技機１０において、メダル投入孔２９Ｄａに投入されたメダルＸがメダル投入シュート４８の導通路４８Ａよりセレクタ部４６Ａの導通路４６Ａａに導入される際、前記メダル投入シュート４８がメダルＸの流れに応じて可動自在に設けされている。
これにより、メダルＸがメダル投入孔２９Ｄａよりメダル投入シュート４８に落下して導通路４８Ａに導入される際、例えば、送給方向に対して若干傾いて前記メダル投入シュート４８に落下しても傾いたメダルＸ１（図示しない）は、メダル投入シュート４８の可動にり傾きが補正されて導通路４８Ａよりセレクタ部４６Ａの導通路４６Ａａに送給される。このように、メダル投入シュート４８は、セレクタ部４６Ａに対し取付位置が適宜自在に調整されることにより、開閉板２９に設けられたメダル投入孔２９Ｄａとメダル投入シュート４８の導通路４８Ａとのメダル通路のズレを容易に補正することができる。
【００４１】
さらに、筐体１１に取着されるヒンジ部材、蝶番（図示しない）取付位置のズレの発生により、セレクタ部４６Ａに対するメダル投入孔２９Ｄａのメダル通路が変位しても、常時、メダル投入シュート４８が可動状態に保持されているので、メダル投入孔２９Ｄａとメダル投入シュート４８とのメダル通路の芯合わせを容易に行うことができる。
従って、メダルＸは、メダル投入シュート４８内で詰まることなく、円滑にセレクタ部４６Ａに送給される。
【００４２】
【発明の効果】
以上説明したように、本発明は、遊技媒体投入孔に対しシュート部材が位置調整可能に設けられるので、開閉部材の位置が変位しても前記遊技媒体投入孔に対し前記シュート部材の位置を適宜に調整することができ、遊技媒体投入孔とシュート部材とのメダル通路を整合させることができる。
【００４３】
【図面の簡単な説明】
【図１】本発明の実施の形態に係る遊技機の概略構造図である。
【図２】図１の遊技機内部構造を示す側面図である。
【図３】図１のメダル投入孔とメダル投入シュートおよびセレクタ部の相互関係を示す分解斜視図である。
【図４】図３のメダル投入シュートとセレクタ部との取付状態を示す概略構造図である。
【符号の説明】
１０…遊技機
１１…筐体
１２…演出ユニット
１３…操作手段
１４…電源ユニット
１５…遊技状況検出ユニット
１６…回胴ユニット
１７…遊技媒体搬出入ユニット
２９…開閉板
３８…ユニットケース
３９…リールユニット
４６…メダル判別手段
４６Ａ…セレクタ部
４６Ｂ…搬送ガイド部
４８…メダル投入シュート
４８Ａ…導通路
４８Ｂ…取付部
４８Ｃ…孔
４９…ねじ部材
５０…スペーサ
５１…座金
【図１】
2004358145.tif 000003
【図２】
2004358145.tif 000004
【図３】
2004358145.tif 000005
【図４】
2004358145.tif 000006